(57)【要約】【課題】使用者の安眠を維持し得る枕を提供する。【解決手段】平面視において左部および右部に位置してクッション性を有する左右の盛り上がり部１１を備える枕１である。枕１は、左右の盛り上がり部１１の下方に位置して左右外側からそれぞれ手を入れることが可能な左右の手入れ部２０を備える。【選択図】図１
0003220131.tif 000002
【実用新案登録請求の範囲】
【請求項１】
平面視において左部および右部に位置してクッション性を有する左右の盛り上がり部と、
前記左右の盛り上がり部の下方に位置して左右外側からそれぞれ手を入れることが可能な左右の手入れ部とを備えることを特徴とする枕。
【請求項２】
左右の盛り上がり部の間に位置して内部に多数の緩衝材が詰められた中央部を備え、
前記中央部が、頭受け部と頸受け部とに区画されていることを特徴とする請求項１に記載の枕。
【請求項３】
各緩衝材が、球状または円筒状の樹脂材であることを特徴とする請求項２に記載の枕。
【請求項４】
左右の盛り上がり部が、平面視において下部がそれぞれ左右外側に突出した形状であることを特徴とする請求項１乃至３のいずれか一項に記載の枕。
【請求項５】
取換可能で複数層からなる高さ調整用クッションを備え、
前記高さ調整用クッションは、その最上層が他の層よりも反発性が低いものであることを特徴とする請求項１乃至４のいずれか一項に記載の枕。
【考案の詳細な説明】
【技術分野】
【０００１】
本考案は、枕に関するものである。
【背景技術】
【０００２】
多忙な現代では、人々の睡眠時間が昔に比べて減りつつあるが、それに伴い、質の高い睡眠が求められている。このため、寝具の一つである枕は、使用者が安眠を得るためのものとして、重要性が高まりつつある。
【０００３】
従来では、使用者がうつ伏せでも安眠できる枕として、中央部に空間を設けることで、うつ伏せの使用者の目鼻および口を圧迫しない枕が提案されている（例えば、特許文献１参照）。
【先行技術文献】
【特許文献】
【０００４】
【特許文献１】特開２００６−０５５３８３号公報
【考案の概要】
【考案が解決しようとする課題】
【０００５】
しかしながら、前記特許文献１に記載の枕では、使用者の顔と枕との位置関係が考慮されているものの、睡眠の際における使用者の手の位置が考慮されていない。すなわち、人はうつ伏せで睡眠の際に無意識的に手を顔の下に置くが、前記特許文献１に記載の枕には、使用者がうつ伏せの際に手を入れる空間が考慮されていない。このため、前記特許文献１に記載の枕を使用している使用者は、うつ伏せで睡眠の際に、手を顔の下に直接置く、つまり上方から顔、手および枕の順となる睡眠姿勢を取ることになる。したがって、このような睡眠姿勢を取っている使用者は、手が顔で圧迫されて痺れることにより、安眠が害されることになる。
【０００６】
また、前記特許文献１の図２（うつ伏せ）および図３（横向き）を比較すると明らかなように、前記特許文献１に記載の枕の使用者は、うつ伏せの際と横向きの際とで頭の位置を体軸方向にずらす必要がある。具体的には、うつ伏せの際には、前記特許文献１の図２に示すように、枕に対して頭を深く位置させる必要があるのに対し、横向きの際には、前記特許文献１の図３に示すように、枕に対して頭を浅く位置させる必要がある。このため、うつ伏せから横向きになるような寝返りの際に、頭の位置を体軸方向にずらすなど、使用者の意図的な移動が必要とされることから、安眠が害されることになる。
【０００７】
そこで、本考案は、使用者の安眠を維持し得る枕を提供することを目的とする。
【課題を解決するための手段】
【０００８】
前記課題を解決するため、第１の考案に係る枕は、平面視において左部および右部に位置してクッション性を有する左右の盛り上がり部と、
前記左右の盛り上がり部の下方に位置して左右外側からそれぞれ手を入れることが可能な左右の手入れ部とを備えるものである。
【０００９】
また、第２の考案に係る枕は、第１の考案に係る枕において、左右の盛り上がり部の間に位置して内部に多数の緩衝材が詰められた中央部を備え、
前記中央部が、頭受け部と頸受け部とに区画されているものである。
【００１０】
さらに、第３の考案に係る枕は、第２の考案に係る枕における各緩衝材が、球状または円筒状の樹脂材である。
【００１１】
加えて、第４の考案に係る枕は、第１乃至第３のいずれかの考案に係る枕において、左右の盛り上がり部が、平面視において下部がそれぞれ左右外側に突出した形状である。
【００１２】
また、第５の考案に係る枕は、第１乃至第４のいずれかの考案に係る枕において、取換可能で複数層からなる高さ調整用クッションを備え、
前記高さ調整用クッションは、その最上層が他の層よりも反発性が低いものである。
【考案の効果】
【００１３】
前記枕によると、横向きの際に左右の盛り上がり部で快適な睡眠姿勢が取れるとともに、うつ伏せの際に手入れ部に手を入れても当該手が顔で圧迫されないので、使用者の安眠を維持することができる。
【図面の簡単な説明】
【００１４】
【図１】本考案の実施の形態に係る枕の斜視図である。
【図２】同枕の平面図である。
【図３】同枕の正面図である。
【図４】同枕の左側面図である。
【図５】図４での枕を使用者が横向きで使用する状態を示す図である。
【図６】図４での枕を使用者がうつ伏せで使用する状態を示す図である。
【図７】図２での枕の中央断面であるＡ−Ａ断面を示す図である。
【図８】図７での前記枕を使用者が仰向けで使用する状態を示す図である。
【図９】同枕から高さ調整用クッションを取り外した状態を示す斜視図である。
【図１０】同枕の緩衝材が円筒状である場合の中央部の拡大断面図である。
【考案を実施するための形態】
【００１５】
以下、本考案の実施の形態に係る枕について図面に基づき説明する。
【００１６】
図１は前記枕１の斜視図であり、図２は前記枕１の平面図であり、図３は前記枕１の正面図であり、図４は前記枕１の左側面図である。また、図５は図４での前記枕１を使用者Ｕが横向きで使用する状態を示し、図６は図４での前記枕１を使用者Ｕがうつ伏せで使用する状態を示す。さらに、図７は図２での前記枕１の中央断面であるＡ−Ａ断面を示し、図８は図７での前記枕１を使用者Ｕが仰向けで使用する状態を示す。加えて、図９は前記枕１から高さ調整用クッション３３（後述する）を取り外した状態を示す。
【００１７】
図１および図２に示すように、前記枕１は、平面視において左部および左部に位置する左右の盛り上がり部１１を備える。これら左右の盛り上がり部１１は、平面視で下部が左右に突出した形状１１ａであるから、使用者Ｕの頭が左右外側から落下し難い形状である。これら左右の盛り上がり部１１は、図１および図３に示すように、その間に位置する中央部１２よりも高くされている。これら左右の盛り上がり部１１は、クッション性も有するので、図４に示す使用されない状態に比べて、図５に示す使用されている状態では収縮して使用者Ｕの側頭部ｓおよび頸部Ｎに追随する。すなわち、図５に示すように、使用者Ｕが横向きになった場合も、枕１に対する頭Ｈの深さを変更することなく、つまり使用者Ｕが頭Ｈの位置を体軸方向にずらすことなく、使用者Ｕの側頭部ｓおよび頸部Ｎが前記左右の盛り上がり部１１で受けられる。
【００１８】
図６に示すように、前記枕１は、前記左右の盛り上がり部１１の下方に位置して左右外側から手を入れることが可能な左右の手入れ部２０を備える。左右の手入れ部２０は、具体的に説明すると、前記枕１が備える上本体部１０と下本体部３０との間に形成される空間である。これら左右の手入れ部２０は、前記左右の盛り上がり部１１の下方に位置することで、うつ伏せの際に手入れ部２０に手を入れても当該手が顔ｆで圧迫されない。なお、左の手入れ部２０と右の手入れ部２０とは、区画されてもよいが、連通している方が好ましい。左右の手入れ部２０が連通していることで、使用者Ｕは左右の手を左右の手入れ部２０に奥まで入れることが可能になるからである。
【００１９】
前記上本体部１０は、前記左右の盛り上がり部１１と、これら左右の盛り上がり部１１の間に位置する中央部１２とを有する。図７に示すように、前記中央部１２は、内部に多数の緩衝材１５が詰められている。図１および図７に示すように、前記中央部１２は、頭受け部１３と頸受け部１４とに区画されている。すなわち、前記中央部１２において、頭受け部１３の内部と頸受け部１４の内部とは、区画されているので、連通していない。このため、前記頭受け部１３に詰められた緩衝材１５と頸受け部１４に詰められた緩衝材１５とが互いに移動しないので、前記頭受け部１３と頸受け部１４とで高さおよび反発性を異ならせることが可能である。例えば、頭受け部１３の内部に低い密度で緩衝材１５を詰め、頸受け部１４の内部に高い密度で緩衝材１５を詰めておく。これにより、図８に示すように、使用者Ｕが仰向けの際に、前記中央部１２は、頭受け部１３よりも頸受け部１４が高くなり、使用者Ｕにフィットした形状となる。なお、前記中央部１２は、仰向けおよびうつ伏せの際に使用者Ｕの頭Ｈ（後頭部ｂおよび顔ｆ）並びに頸部Ｎを受けるという、最も使用される部分であるから、通気性が要求される。このため、前記中央部１２は、その表面部にメッシュ生地など高通気性の生地が用いられる。
【００２０】
前記多数の緩衝材１５における各緩衝材１５は、球状の樹脂材であるから、長時間頻繁に荷重を受けても、形状が変形しにくい。前記中央部１２は、最も使用される部分であるので耐久性が要求されるが、変形しにくい形状および材質である球状の樹脂材である緩衝材１５が詰められることにより、当該耐久性が満たされる。
【００２１】
図９に示すように、前記下本体部３０は、内部にクッション収容部３１を有する。このクッション収容部３１は、ファスナー３２などの開閉手段により開閉可能にされている。前記クッション収容部３１は、複数層（２層以上であればよい）からなる高さ調整用クッション３３が収容されている。前記ファスナー３２などによりクッション収容部３１が開にされることで、前記高さ調整用クッション３３が下本体部３０から取り外し可能となる。すなわち、前記高さ調整用クッション３３は、取換可能とも言える。前記クッション収容部３１に収容する高さ調整用クッション３３の層数（枚数）を調整することで、使用者Ｕは前記枕１を好みの高さに調整することが可能である。前記高さ調整用クッション３３は、その最上層３４が他の層３５よりも反発性が低いものである。例えば、最上層３４が低反発クッション（反発弾性率が１５％程度以下）であり、他の層３５（最上層３４より下の層）が通常の反発性を有するクッションである。これにより、最上層３４の低反発クッションにより使用者Ｕにとって柔らかな使用感を維持しつつ、ある程度の反発性を維持することが可能となる。なお、前記高さ調整用クッション３３の材質は、特に限定されないが、例えばウレタン製である。
【００２２】
以下、前記枕１の作用について説明する。
【００２３】
まず、使用者Ｕは、図９に示すように、クッション収容部３１に収容する高さ調整用クッション３３の層数（枚数）を調整して、枕１を好みの高さに調整する。
【００２４】
次に、図８に示すように、使用者Ｕは、頭Ｈを中央部１２に置いて、仰向けで寝る。この場合、緩衝材１５が低密度に詰められている頭受け部１３は使用者Ｕの後頭部ｂを受けつつ頭Ｈの重みで十分に沈み込むが、緩衝材１５が高密度に詰められている頸受け部１４は使用者Ｕの頸部Ｎを受けてもそれほど沈み込まない。すなわち、中央部１２は、使用者Ｕの仰向けの睡眠姿勢にフィットした形状となる。このため、使用者Ｕは仰向けで快適な睡眠姿勢となる。
【００２５】
そして、図５に示すように、使用者Ｕが寝返りを打つなどして横向きなった場合、使用者Ｕの頭Ｈが左右の盛り上がり部１１のいずれか一方の上に移動する。左右の盛り上がり部１１は、クッション性を有するとともに中央部１２よりも高いので、使用者Ｕの横向きの睡眠姿勢にフィットした形状となる。このため、使用者Ｕは横向きで快適な睡眠姿勢となる。
【００２６】
一方、図６に示すように、使用者Ｕがうつ伏せになった場合、使用者Ｕは無意識的に手を顔ｆの下に置こうとするので、これら左右の手を左右の手入れ部２０に入れることになる。左右の手入れ部２０の中に入れられた左右の手は、それらの上方のクッション性を有する盛り上がり部１１で保護されるので、使用者Ｕの顔ｆで圧迫されない。
【００２７】
このように、前記枕１によると、横向きの際に左右の盛り上がり部１１で快適な睡眠姿勢が取れるとともに、うつ伏せの際に手入れ部２０に手を入れても当該手が顔ｆで圧迫されないので、使用者Ｕの安眠を維持することができる。
【００２８】
また、中央部１２の区画された頭受け部１３と頸受け部１４とで後頭部ｂおよび頸部Ｎが受けられるので、仰向けの際に快適な睡眠姿勢が取れることにより、使用者Ｕの安眠を維持することができる。
【００２９】
さらに、頭Ｈが左右外側から落下し難い形状１１ａの左右の盛り上がり部１１により、落下する心配が軽減されるので、使用者Ｕの安眠を維持することができる。
【００３０】
加えて、高さ調整用クッション３３により、使用者Ｕが好みの高さに調整可能であるとともに、柔らかな使用感を維持しつつ、ある程度の反発性を維持することが可能であるから、使用者Ｕの安眠を維持することができる。
【００３１】
また、緩衝材１５が球状であることにより、最も使用される部分である中央部１２の耐久性が高まるので、全体として耐久性を高めることができる。なお、緩衝材１５は、変形しにくい形状として、図７に示す球状に限られず、図１０に示す円筒状でもよい。緩衝材１５が円筒状であることにより、これら緩衝材１５が内部に詰められた中央部１２の通気性が向上する。中央部１２はうつ伏せの際に使用者Ｕの顔ｆに面する部分であるから、中央部１２の通気性が向上することで、使用者Ｕの安眠を維持することができる。
【符号の説明】
【００３２】
１  枕
１０  上本体部
１１  左右の盛り上がり部
１２  中央部
１３  頭受け部
１４  頸受け部
１５  緩衝材
２０  左右の手入れ部
３０  下本体部
３１  クッション収容部
３２  ファスナー
３３  高さ調整用クッション
３４  最上層
３５  他の層
【図１】
0003220131.tif 000003
【図２】
0003220131.tif 000004
【図３】
0003220131.tif 000005
【図４】
0003220131.tif 000006
【図５】
0003220131.tif 000007
【図６】
0003220131.tif 000008
【図７】
0003220131.tif 000009
【図８】
0003220131.tif 000010
【図９】
0003220131.tif 000011
【図１０】
0003220131.tif 000012